(57)【要約】【課題】液晶画面やＣＲＴ等の視認性を確保しつつ、それらの画面の前面から発生する電磁波を遮蔽するようにした電磁波カットフィルタを提供する。【解決手段】透明の合成樹脂基板２の上面に銀ペーストによる線幅３０μ〜５０μのメッシュ状パターン３をスクリーン印刷により形成してあり、前記合成樹脂基板の下面に銀ペーストによるメッシュ状パターン３を形成することも可能であり、この線幅３０μ〜５０μのメッシュ状パターン３は開口率８０％〜９０％の範囲で形成するのが望ましい。【選択図】図２
2005243661.tif 000002
【特許請求の範囲】
【請求項１】
透明の合成樹脂基板の上面に銀ペーストによるメッシュ状パターンをスクリーン印刷により形成したことを特徴とする電磁波カットフィルタ。
【請求項２】
透明の合成樹脂基板の下面に銀ペーストによるメッシュ状パターンをスクリーン印刷により形成したことを特徴とする電磁波カットフィルタ。
【請求項３】
前記メッシュ状パターンを線幅３０μ〜５０μにすると共に、開口率８０％〜９０％の範囲で形成したことを特徴とする請求項１又は２記載の電磁波カットフィルタ。
【請求項４】
前記合成樹脂基板の上面に前記銀ペーストのメッシュ状パターンを被覆する透明性粘着材層を介して合成樹脂フィルムを接着すると共に、前記合成樹脂基板の下面に再剥離可能な粘着材層を介して剥離紙を接着したことを特徴とする請求項１、２又は３記載の電磁波カットフィルタ。
【請求項５】
前記メッシュ状パターンはそれぞれの開口が正方形を成す網目を傾斜状に配列したことを特徴とする請求項１、２、３又は４記載の電磁波カットフィルタ。
【発明の詳細な説明】
【技術分野】
【０００１】
本発明は、液晶画面やＣＲＴ等の視認性を確保しつつ、それらの画面の前面から発生する電磁波を遮蔽するようにした電磁波カットフィルタに関するものである。
【背景技術】
【０００２】
近年、例えば携帯電話の画面やＣＲＴのディスプレイ等の画面の前面から漏洩する電磁波による人体への影響が問題視されている。このような電磁波を遮蔽するために画面の前面に設けられる電磁波カットフィルタの従来例として、下記の特許文献１、２を挙げて説明する。
【０００３】
特許文献１は、ＣＲＴ画面等の反射を防止することにより視認性を良くし、また電磁波をシールドするために導電性物質を使用したものである。その構造は、プラスチックフィルムからなる透明基材上に、導電層を少なくとも１層含む３層以上の反射防止膜が形成された導電性反射フィルムにおいて、該反射防止膜が、前記導電層である高屈折率層と導電層以外の低屈折率層とからなることを特徴とするものである。
【０００４】
このような構造において、低屈折率層は酸化シリコンからなるものであり、この低屈折率層を真空蒸着法で形成している。また、高屈折率層はＩＴＯからなるものであり、この高屈折率層をスパッタリング法で形成するようにしている。このような、構成により、膜の密着性や擦傷性に優れ、クラックなどの発生しない程度の硬さをもったシールド材を比較的容易に製作することができるとされている。
【０００５】
また、特許文献２は、近年のＰＤＰ（プラズマディスプレイパネル）の大画面から発生する電磁波を防止するために、視認性の良い、十分な電磁波の遮断機能を有するシールド材を得るために成されたものである。
【０００６】
その構造は、透明基材の一方の面上に金属箔のパターンを有するシールド材において、前記金属箔のパターンの両面及び側面が黒化処理されていることを特徴とするものであり、金属箔のパターン画面及び側面が黒化処理されているため、ＰＤＰの表面画面からの出射光及び外部からの入射を押さえることが可能とされている。また、上記の金属箔は接着剤層を介してエッチングによりパターニングされるものである。
【特許文献１】特開平１０−１６１５５３号公報（第１、２頁）
【特許文献２】特開２００２−９４８４号公報（第１、２頁）
【発明の開示】
【発明が解決しようとする課題】
【０００７】
上記の特許文献１或いは特許文献２においては、電磁波を防止するための導電層を真空蒸着法或いはスパッタリング法で形成し、金属箔をエッチングにより形成するようにしてある。
【０００８】
これに対して、本発明は、より簡易な印刷による導電層の形成法を採用することにより、液晶画面やＣＲＴ等の視認性を確保しつつ、それらの画面の前面から発生する電磁波を良好に遮蔽するようにした電磁波カットフィルタを提供することを目的とするものである。
【課題を解決するための手段】
【０００９】
上記の目的を達成するために、本発明による請求項１の電磁波カットフィルタは、透明の合成樹脂基板の上面に銀ペーストによる線幅３０μ〜５０μのメッシュ状パターンをスクリーン印刷により形成したことを特徴とする。
【００１０】
また、請求項２の電磁波カットフィルタは、透明の合成樹脂基板の下面に銀ペーストによる線幅３０μ〜５０μのメッシュ状パターンをスクリーン印刷により形成したことを特徴とする。
【００１１】
また、請求項３の発明は、請求項１又は２において、前記メッシュ状パターンを線幅３０μ〜５０μにすると共に、開口率８０％〜９０％の範囲で形成したことを特徴とする。
【００１２】
また、請求項４の発明は、請求項１、２又は３において、前記合成樹脂基板の上面に前記銀ペーストのメッシュ状パターンを被覆する透明性粘着材層を介して合成樹脂フィルムを接着すると共に、前記合成樹脂基板の下面に再剥離可能な粘着材層を介して剥離紙を接着したことを特徴とする。
【００１３】
さらに、請求項５の発明は、請求項１、２、３又は４において、前記メッシュ状パターンはそれぞれの開口が正方形を成す網目を傾斜状に配列したことを特徴とする。
【発明の効果】
【００１４】
本発明による電磁波カットフィルタによれば、透明の合成樹脂基板の上面に銀ペーストによる線幅３０μ〜５０μのメッシュ状パターンをスクリーン印刷により形成したものであり、線幅３０μ〜５０μのメッシュ状パターンを開口率８０％〜９０％の範囲で形成したことによって、画面に対する良好な視認性を確保すると共に、高度な電磁波シールド性能を得ることができる。
【００１５】
また、合成樹脂基板の下面に再剥離可能な粘着材層を介して剥離紙を接着したことによって、粘着材層を保護すると共に初期の粘着力を確保することができる。
【００１６】
さらに、銀ペーストによるメッシュ状パターンの開口が正方形を成す網目を傾斜状に配列したことによって、メッシュ状パターンが視覚の妨げになりにくい良好な視認性を得ることができる。
【発明を実施するための最良の形態】
【００１７】
以下、本発明の実施例について図面を参照しながら説明する。
【実施例１】
【００１８】
本発明の電磁波カットフィルタは、図２に示すように、透明の合成樹脂基板２の上面に銀ペーストによる線幅３０μ〜５０μのメッシュ状パターン３をスクリーン印刷により形成したものである。
【００１９】
なお、図１は、本発明によって形成された電磁波カットフィルタ１の上面図であり、１枚の電磁波カットフィルタ１における外周に沿って内側に設けられた矩形の切取線４が、携帯電話等の画面等に貼り付けられる部分（「貼り付け部分５」という）を形状的に規定してあり、その周りは内側の貼り付け部分５を剥がす際に、指先で摘んで押えておく部分（「押え部分６」という）である。
【００２０】
このような本発明の電磁波カットフィルタ１について詳細に述べると、その断面構造は、図２に示すように、透明の合成樹脂基板２の上面に銀ペーストによるメッシュ状パターン３が形成され、このメッシュ状パターン３を被覆する透明粘着材層７を介して最上面に合成樹脂フィルム８が接着されている。また、合成樹脂基板２の下面に再剥離可能な粘着材層９を介して剥離紙１０が接着されている。
【００２１】
上記の断面構成において、合成樹脂基板２としては、透明のＰＥＴ（ポリエチレンテレフタレート）であって、厚さ１００μ程度のものを使用するのが望ましい。
【００２２】
また、上記の合成樹脂基板２の上面に形成した銀ペーストによるメッシュ状パターン３は、線幅３０μ〜５０μの銀ペーストによる線形をスクリーン印刷によってメッシュ形状に形成したものである。このように線幅３０μ〜５０μとしたのは、線幅が細いほど透過率が良くなるのであるが、銀ペーストをスクリーン印刷によって線状に形成する場合、スクリーン印刷の性能上、３０μ程度の幅が限度となり、また線幅が５０μを超えると、画面の視認性の面で視界の妨げとなりやすいからである。また、スクリーン印刷による銀ペーストの厚さは、４〜７μ程度のものが安定したものとなる。
【００２３】
また、合成樹脂基板２の上面には厚さ２０μ程度の透明度の高いアクリル系糊による粘着材層７を形成することによって、銀ペーストによるメッシュ状パターン３を被覆してあり、これによって銀ペーストの酸化を防止すると共に、外的な擦傷や損傷から保護するようにしている。さらに、この粘着材層７を介してその上面に透明性の良好なＰＥＴ（ポリエチレンテレフタレート）による１６μ程度の合成樹脂フィルム８を接着することによって仕上面としている。
【００２４】
一方、合成樹脂基板２の下面には再剥離可能なシリコン系糊による粘着材層９が６０μ程度の厚さで形成され、保存時においては、この粘着材層９を介して７５μ程度の厚さの剥離紙１０を接着してあり、これによって粘着材層９が外気や他の物品に触れないようにして該粘着材層９を保護するようにしている。
【００２５】
上記の構成においては、線幅３０μ〜５０μのメッシュ状パターン３を開口率８０％〜９０％の範囲で形成するのが好ましい。そのため、開口部１１のピッチＰを設定するには、図３に示すように、メッシュ形状の１区画１３を取り出して考察するとよい。この１区画１３において、縦と横に線幅ｔで銀ペーストによる線形１２を形成したとき、開口率８５％とするには、黒色で示す銀ペーストによる線形１２の占める面積とそれ以外の白色で示す開口部１１の占める面積との比率が１５：８５の割合になるように、１区画内における線幅ｔを設定すればよい。
【００２６】
なお、線幅３０μ〜５０μのメッシュ状パターン３の正方形の開口率を８０％〜９０％としたのは、望ましい開口率を８５％としたとき、スクリーン印刷による誤差を考慮して開口率の範囲を設定したのである。そこで、開口率を８５％としたときの電磁波のシールド性能は、２０ｄＢに対して９０％、４０ｄＢに対して９９％、６０ｄＢに対して９９、６％となることが実験により確認され、非常に高い電磁波の遮蔽性能を発揮し得ることが理解できる。
【００２７】
また、図４に示すように、メッシュ状パターン３はそれぞれの開口部１１が正方形を成す網目を例えば４５°による傾斜状に配列したものとするのが好ましい。このようにメッシュ状パターン３を傾斜状に配列したのは、仮りにメッシュ形状が傾斜状ではなく、横線が互いに水平であって縦線が横線に対して垂直な正方形による碁盤の目を有するものとしたとき、一本一本の線形が視覚に入りやすく、目ざわりとなり、視認性の面で不利となるからである。これに対して、上記のようにメッシュ状パターン３を例えば４５°による傾斜状に配列したものとすると、視覚に入りにくく、視認性の面で有利となる。
【００２８】
なお、本発明の銀ペーストによるメッシュ状パターン３は、それぞれの目が正方形によるメッシュ形状を成すものとしてあるが、その他、正六角形によるハニカム形状としても良いし、他の幾何学模様でもよい。
【実施例２】
【００２９】
本実施例の電磁波カットフィルタ１’は、図５に示すように、透明の合成樹脂基板２の下面に銀ペーストによる線幅３０μ〜５０μのメッシュ状パターン３をスクリーン印刷により形成したものである。実施例１においては、合成樹脂基板２の上面にメッシュ状パターン３を形成してあるが、本実施例は、合成樹脂基板２の下面にメッシュ状パターン３を設けることによって、上記実施例と同様に、電磁波の遮蔽性能を良好に発揮することができるようにしたものである。
【００３０】
この実施例の電磁波カットフィルタ１’においても、実施例１と同様に、メッシュ状パターン３を被覆する透明粘着材層７を介して最上面に合成樹脂フィルム８を接着する一方、合成樹脂基板２の下面にメッシュ状パターン３を被覆するように再剥離可能な粘着材層９を介して剥離紙１０を接着してある。使用の際には、この剥離紙１を剥がし取ることによって、粘着材層９を携帯電話の画面等に貼り付けることができる。
【産業上の利用可能性】
【００３１】
本発明は、上記したように、液晶画面やＣＲＴ等の視認性を確保しつつ、それらの前面から発生する電磁波を遮蔽するようにした電磁波カットフィルタとして利用することができ、携帯電話の画面やＣＲＴのディスプレイ等の画面等、電磁波を遮蔽すべき箇所へ取付けて利用することが可能である。
【図面の簡単な説明】
【００３２】
【図１】本発明による実施例１の電磁波カットフィルタの平面図である。
【図２】本発明による実施例１の電磁波カットフィルタの部分断面図である。
【図３】本発明による実施例１の電磁波カットフィルタの１区画を示す拡大図である。
【図４】本発明による実施例１の電磁波カットフィルタの平面を示す部分拡大図である。
【図５】本発明による実施例２の電磁波カットフィルタの部分断面図である。
【符号の説明】
【００３３】
１、１’…電磁波カットフィルタ
２…合成樹脂基板
３…メッシュ状パターン
４…切取線
５…貼り付け部分
６…押え部分
７…透明粘着材層
８…合成樹脂フィルム
９…粘着材層
１０…剥離紙
１１…開口部
１２…線形
１３…１区画
Ｐ…ピッチ
ｔ…線幅
【図１】
2005243661.tif 000003
【図２】
2005243661.tif 000004
【図３】
2005243661.tif 000005
【図４】
2005243661.tif 000006
【図５】
2005243661.tif 000007